(57)【要約】【課題】  ３６０°で発光でき、如何なる角度でもその発光が見られる多方向発光ダイオードを提供すること。【解決手段】  フレームと、少なくとも一つのチップと、少なくとも二つの接続リードワイヤと、前記各素子を覆い成形する光透過材とを含み、前記チップが接続リードワイヤによりフレームに接続し、チップを懸垂状に設置させ、さらに光透過材により一体に結合されたチップと接続リードワイヤとフレームの一部とを覆うことによって、３６０°で発光できる多方向発光ダイオードが完成する。【選択図】  図１
2007081046.tif 000002
【特許請求の範囲】
【請求項１】
少なくとも一つのフレームと、
アノードとカソードが上面に設置され、その底部基板が透明である少なくとも一つのチップと、
発光チップとフレームとを接続するための少なくとも二つの接続リードワイヤと、
前記各素子を覆い成形する光透過材とを含み、
光透過材の覆いによりチップを懸垂状に設置することによって、チップが３６０°で多方向発光できることを特徴とする、
多方向発光ダイオード。
【請求項２】
前記フレームの数は２つに設け、両回路板の外に導電物質が覆われるように形成され、且つ両フレームは対向に設置されることを特徴とする、請求項１記載の多方向発光ダイオード。
【請求項３】
前記フレームは回路板より構成され、前記回路板の前端面の対向両側に導電材がそれぞれ設けられ、両導電材の間に絶縁されることを特徴とする、請求項１記載の多方向発光ダイオード。
【請求項４】
前記導電材は金、銀、錫、クロム、ニッケル及びその合金のうちから選ばれるいずれか一つであることを特徴とする、請求項２又は３記載の多方向発光ダイオード。
【請求項５】
前記光透過材で覆う時に、チップ及び接続リードワイヤを完全に覆い、フレームが部分的に覆われることを特徴とする、請求項１記載の多方向発光ダイオード。
【発明の詳細な説明】
【技術分野】
【０００１】
本発明は、３６０°の多方向光を発光できる多方向発光ダイオードに関わるもので、発光ダイオード或は類似構造の多方向発光ダイオードに関するものである。
【背景技術】
【０００２】
発光ダイオードは、電気消費量が低く、寿命が長いなどの利点があるため、その多半数は電子製品の指示用途に用いられる。
【発明の開示】
【発明が解決しようとする課題】
【０００３】
従来の発光ダイオード構造を図７に示す。一般に、従来の発光ダイオードは、主に凹溝Ａ１を有する台座Ａが設置され、凹溝Ａ１内にチップＢが結合され、当該チップＢが接続ワイヤＣによりもう一つのフレームＤに接続し、最後に光透過層Ｅの射出成形により、台座ＡとチップＢと接続ワイヤＣともう一つのフレームＤとを一体に結合して、発光ダイオードが製作されている。
【０００４】
しかしながら、前記従来の発光ダイオードに電源を導通されると、チップが台座のカップ中に結合されるため、当該チップ周縁及び底面に発する光がともにカップに阻止し反射されるため、当該チップが正方向の光しか発光できず、その発光ダイオードの裏側にはその発光が見えない。
【０００５】
または、表面マウント技術（Ｓｕｒｆａｃｅ Ｍｏｕｎｔ、ＳＭＴ）によりチップをプリント回路板に直接電気的に接続したことが、特開平５−３２７０２６号公報及び特開２０００−２２３７５２号公報（図８、図９）に示されている。当該回路板を電源導通した後に、当該チップは５面（前、後、左、右、上の面）までに発光できるが、その底面は依然として発光できない。
【０００６】
本発明の発明者は前記欠点に鑑みて成されたもので、本発明の目的とするところは、発光ダイオードの発光がそれぞれの角度にも見られる多方向発光ダイオードを提供することにある。
本発明の主な目的は、３６０°で発光でき、如何なる角度でもその発光が見られる多方向発光ダイオードを提供することにある。
さらに本発明の目的は専念な研究や設計組立により、消費大衆の使用に提供することができる、多方向発光ダイオードを提供することにある。
【課題を解決するための手段】
【０００７】
上記の目的を達成する為に、本発明は、フレームと、少なくとも一つのチップと、少なくとも二つの接続リードワイヤと、前記各素子を覆い成形する光透過材とを含み、前記チップが接続リードワイヤによりフレームに接続し、チップを懸垂状に設置させ、さらに光透過材により一体に結合されたチップと接続リードワイヤとフレームの一部とを覆うことによって、３６０°で発光できる多方向発光ダイオードが完成する。
【０００８】
すなわち、本願の第１発明は、少なくとも一つのフレームと、アノードとカソードが上面に設置され、その底部基板が透明である少なくとも一つのチップと、発光チップとフレームとを接続するための少なくとも二つの接続リードワイヤと、前記各素子を覆い成形する光透過材とを含み、光透過材の覆いによりチップを懸垂状に設置することによって、チップが３６０°で多方向発光できることを特徴とする、多方向発光ダイオードである。
本願の第２発明は、前記フレームの数は２つに設け、両回路板の外に導電物質が覆われるように形成され、且つ両フレームは対向に設置されることを特徴とする、前記第１発明に記載の多方向発光ダイオードである。
本願の第３発明は、前記フレームは回路板より構成され、前記回路板の前端面の対向両側に導電材がそれぞれ設けられ、両導電材の間に絶縁されることを特徴とする、前記第１発明に記載の多方向発光ダイオードである。
本願の第４発明は、前記導電材は金、銀、錫、クロム、ニッケル及びその合金のうちから選ばれるいずれか一つであることを特徴とする、第２発明又は第３発明に記載の多方向発光ダイオードである。
本願の第５発明は、前記光透過材で覆う時に、チップ及び接続リードワイヤを完全に覆い、フレームが部分的に覆われることを特徴とする、前記第１発明に記載の多方向発光ダイオードである。
【発明の効果】
【０００９】
以上のように、本発明の装置は以下のような利点がある。
（１）発光チップを懸垂状に設置させることで、発光チップの周縁に遮断物の阻止や発光範囲を制限することがないようにし、さらに発光ダイオードが多方向で発光できるようにさせる。
（２）発光チップは光透過材により直接覆って成形され、従来の構造での接着剤によりチップを台座のカップ内に結合し、従来の発光ダイオードが正方向の光しか発光できないことと違う。
（３）チップを懸垂状に設置させることで、その発光ダイオードが如何なる角度で見ても、そのチップの発光は全て見られる。
（４）如何なる接着剤によりチップを導電フレームに結合することはなく、チップには如何なる面にも接着剤により発光を阻止することはない。
【００１０】
本発明の特徴及び具体的な実施例を以下に添付した図面を参照しながら説明する。
【発明を実施するための最良の形態】
【００１１】
図１を参照すると、本発明の発光ダイオード１は、主に導電可能な二つのフレームと発光チップ２０と二つの接続リードワイヤ３０と光透過材４０とが設けられる。
【００１２】
二つのフレーム構造は同じであるため、一方のフレームだけで説明する。
当該フレームは小型の回路板１０より構成され、回路板１０の外には導電材１１が覆われ、当該導電材１１は金、銀、錫、クロム、ニッケル及びその合金のうちから選ばれるいずれか一つである。
両フレームは対向して設置される。チップ２０を対向に設置される両フレームの間に設置し、当該チップ２０のアノード、カソードは正面に設置される必要が有る。
【００１３】
図２に示されるように、チップ２０の発光層２１は中央に設置され、且つその底部基板は透明であるとともに、二つの接続リードワイヤ３０によりチップ２０と両フレームの導電材１１に接続し、最後に光透過材により両フレームの一部（接続リードワイヤ３０に結合する箇所）とチップ２０と両接続リードワイヤ３０とを覆って成形し、チップ２０を懸垂状に設置して組立を完了する。
【００１４】
使用する時に、本発明の発光ダイオード１の両フレームの一方側を正電気に接続し、もう一方側を負電気に接続する。
チップ２０が電流励起により発光し、チップ２０が懸垂状になっているため、その周辺にはチップ２０の光を阻止する遮断物がないため、チップ２０の発光が３６０°で発光できる。
同時に図３〜図４を参照すると、発光ダイオード１は、如何なる角度で見ても、その発光は全て見られる。よって、一般のタングステンランプの効果が達成でき、さらにタングステンランプに代えることができる。
【００１５】
図５〜図６を参照して本発明の第２実施例を説明する。
本実施例では、フレームが設けられ、当該フレームは回路板１０より構成される。回路板１０の底縁左右両側には貫通孔１２が設けられ、貫通孔１２内には半田つけ用の点が設けられている。回路板１０の前端面の対向両側には導電材１１がそれぞれ設けられている。両導電材１１の間に絶縁され、且つチップ２０はフリップの方式で回路板１０の上方に懸垂状に設置される。この際に、チップ２０の電極と回路板１０の両導電材１１は面一に設けられる。二つの接続リードワイヤ３０によりチップ２０と両導電材１１に接続し、最後に光透過材４０によりチップ２０と両接続リードワイヤ３０とフレーム上半一部を覆って成形して、組立を完了する。
【００１６】
以上の説明は本発明の実施可能な好ましい実施例に過ぎず、本発明はこれらの記載に限定されるものではなく、本発明の精神、特徴に基づいた改良及び変更は本発明に含まれるものである。
【図面の簡単な説明】
【００１７】
【図１】本発明の実施例の断面図である。
【図２】本発明のチップの外観斜視図である。
【図３】本発明の実施例の使用状態を示す断面図である。
【図４】本発明の実施例の使用状態を示す平面図である。
【図５】本発明のもう一つの実施例の外観斜視図である。
【図６】図５の断面図である。
【図７】従来の発光ダイオードの側面図である。
【図８】特開平５−３２７０２６号の発光ダイオードの側面図である。
【図９】特開２０００−２２３７５２号の発光ダイオードの側面図である。
【符号の説明】
【００１８】
１・・・・・・発光ダイオード
１０・・・・・回路板
１１・・・・・導電材
１２・・・・・貫通孔
２０・・・・・発光チップ
２１・・・・・発光層
３０・・・・・接続リードワイヤ
４０・・・・・光透過材
Ａ・・・・・・台座
Ａ１・・・・・凹溝
Ｂ・・・・・・チップ
Ｃ・・・・・・接続ワイヤ
Ｄ・・・・・・フレーム
Ｅ・・・・・・光透過層
【図１】
2007081046.tif 000003
【図２】
2007081046.tif 000004
【図３】
2007081046.tif 000005
【図４】
2007081046.tif 000006
【図５】
2007081046.tif 000007
【図６】
2007081046.tif 000008
【図７】
2007081046.tif 000009
【図８】
2007081046.tif 000010
【図９】
2007081046.tif 000011